(57)【要約】【課題】本発明はサラウンド再生装置に関し、違和感の少ない再生音を提供することを目的としている。【解決手段】Ｌ信号が入力されたバッファアンプ３の出力をＳ１、Ｒ信号が入力されたバッファアンプ４の出力をＳ２とする時、Ｓ１を正側入力、Ｓ２を負側入力としてＳ１とＳ２の差信号Ｓ３を取り出す差動演算器５と、その差信号Ｓ３を入力信号とするローパスフィルタ６を備え、該フィルタ６の信号Ｓ４を信号Ｓ１と加算器１１で加算することによりＬ側のサラウンド信号Ｓ９を得、前記Ｓ４を利得１で反転する反転器１０に入力し、その得られたＳ８と前記Ｓ２とを加算し、Ｒ側のサラウンド信号Ｓ１０を得、前記信号Ｓ１とＳ２の信号を合成する加算器７と、その合成信号Ｓ５を入力信号とするハイパスフィルタ８と、そのフィルタ８の出力信号Ｓ６を入力信号とするローパスフィルタ９に通し、センター信号Ｓ７を得るように構成する。【選択図】図１
2008172576.tif 000002
【特許請求の範囲】
【請求項１】
入力されたＬ信号、Ｒ信号のステレオ信号をそれぞれ、バッファアンプ３及び４に通し、Ｌ信号が入力されたバッファアンプ３の出力をＳ１、Ｒ信号が入力されたバッファアンプ４の出力をＳ２とする時、Ｓ１を正側入力、Ｓ２を負側入力としてＳ１とＳ２の差信号Ｓ３を取り出す差動演算器として機能する加算器５と、その差信号Ｓ３を入力信号とするローパスフィルタ６を備え、該ローパスフィルタ６の出力信号Ｓ４を信号Ｓ１と加算器１１で加算することによりＬ側のサラウンド信号Ｓ９を得、前記信号Ｓ４を利得１で反転する反転器１０に入力し、その得られた信号Ｓ８と前記信号Ｓ２とを加算器１２により加算し、Ｒ側のサラウンド信号Ｓ１０を得、前記信号Ｓ１とＳ２の信号を合成する加算器７と、その合成信号Ｓ５を入力信号とするハイパスフィルタ８と、そのハイパスフィルタ８の出力信号Ｓ６を入力信号とするローパスフィルタ９に通し、センター信号Ｓ７を得ることを特徴とするサラウンド再生装置。
【請求項２】
前記ローパスフィルタ６の遮断周波数ｆｃ１が３００Ｈｚから８ｋＨｚで−６ｄＢ／ｏｃｔから−１８ｄＢ／ｏｃｔの減衰特性を有することを特徴とする請求項１記載のサラウンド再生装置。
【請求項３】
前記ハイパスフィルタ８の遮断周波数ｆｃ２が３００Ｈｚから５ｋＨｚでかつ−６ｄＢ／ｏｃｔから−２４ｄＢ／ｏｃｔの減衰特性を有し、前記ローパスフィルタ９の遮断周波数ｆｃ３は５ｋＨｚから２５ｋＨｚでかつ−６ｄＢ／ｏｃｔから−２４ｄＢ／ｏｃｔの減衰特性を有することを特徴とする請求項１又は２記載のサラウンド再生装置。
【発明の詳細な説明】
【技術分野】
【０００１】
本発明はサラウンド再生装置に関し、更に詳しくはＬ信号（左信号）とＲ信号（右信号）のステレオ信号を入力し、聴取者の前方に配置された３つのスピーカを用いて再生することで、ステレオ感を強調するためのサラウンド再生装置に関するものである。
【背景技術】
【０００２】
一般に、左右の音の方向弁別は約１３００Ｈｚ以下の低い音は左右の耳に到達する音波の位相差が主体となり判別され、約１３００Ｈｚ以上の高い音は両耳間のレベル差が手がかりとなって音の方向が判別されるというように、人の音の方向知覚に関する特性がある（例えば非特許文献１参照）。
【０００３】
小型のテレビジョンや携帯オーディオ装置に付属したスピーカは、スピーカの間隔が１０ｃｍから５０ｃｍ程度と狭く、スピーカから聴取者までの距離は１ｍ以内の非常に近い距離で聞く場合が多いため、十分なステレオ感を得ることが難しい。このような狭い音場空間においてステレオ感を得るためには、従来よりサラウンド回路を用いている。
【０００４】
図９は従来のサラウンド回路の構成例を示す図である。ステレオ信号のＬチャネルとＲチャネルの信号をそれぞれＳ１，Ｓ２とした時、入力信号Ｓ１をバッファアンプＵ１を経て差動演算器Ｕ３の正側入力に、入力信号Ｓ２をバッファアンプＵ２を経て差動演算器Ｕ３の負側入力にそれぞれ入力し、差信号Ｓ１２を取り出し移相回路２５を複数段通して得られた信号Ｓ１３を信号Ｓ１と加算器Ｕ４で加算した信号Ｓ１５と、信号Ｓ１３を反転器（インバータ）Ｕ５に通して得られた信号Ｓ１４と信号Ｓ２を加算器Ｕ６で加算した信号Ｓ１６を作り出す。
【０００５】
そして、それぞれの信号Ｓ１５とＳ１６をそれぞれパワーアンプＵ７，Ｕ８を通してスピーカ２６，２７で再生することで、約１ｋＨｚ以下の周波数において左右の耳に達する音波の位相差が大きくなり、約１ｋＨｚから１０ｋＨｚに対して左右の耳にレベル差を生じさせ、ステレオ感を強調したサラウンド発生装置を実現している。
【０００６】
図１０は移相回路の構成例を示す図である。信号ＩＮは抵抗Ｒ１３を介してオペアンプＵ１０の負側入力に入っている。一方オペアンプＵ１０の負側入力と出力側には帰還抵抗Ｒ１５が接続されている。一方、信号ＩＮは抵抗Ｒ１４とコンデンサＣ１よりなるＲＣ回路を介して、抵抗Ｒ１４とコンデンサＣ１の接続点の信号がオペアンプＵ１０の正側入力に入っている。入力周波数を変化させると、コンデンサＣ１のインピーダンスが変化することから、移相回路の出力の移相は入力位相からずれる。このような移相回路を複数個直列に接続することで、所望の位相特性を得るようにしている。
【０００７】
図１１は耳の位置での周波数特性を示す図である。横軸は周波数（Ｈｚ）、縦軸は音圧（ｄＢ）である。ｆ１は左耳の特性を、ｆ２は右耳の特性をそれぞれ示している。この特性は、図１０の移相回路を２段使用し、左チャネルに信号を入力し、右チャネルには信号を入力しない場合の耳の位置での周波数特性を計算したものである。以下、「左」をＬ、「右」をＲとして示す。スピーカ間隔２０ｃｍ、スピーカから聴取者までの距離を５０ｃｍ、両耳間の間隔を１６ｃｍとし、音源は理想的な点音源として計算した。ＬチャネルとＲチャネルの差信号と移相回路を利用することにより、左右の耳に到達した時の音波のレベルが１ｋＨｚから約１０ｋＨｚにおいて、レベル差が生じている。特に、Ｒチャネルの１０ｋＨｚ近辺におけるゲインの落ち込みが激しくなっている。
【０００８】
図１２は左右の耳の位置での位相差を示す図である。横軸は周波数（Ｈｚ）、縦軸は位相（度）である。図において、ｆ３はＰＨ１を、ｆ４はＰＨ２をそれぞれ示す。ＰＨ１は前述した従来のサラウンド回路を使用した場合の左右の耳の位置での位相差である。ＰＨ２はサラウンド回路を使用しない場合の位相差を示す。図９に示したサラウンド回路により、約１００Ｈｚから１ｋＨｚにわたり位相差が大きくなることが分かる。
【０００９】
従来のこの種の技術としては、入力するＬ信号とＲ信号の位相差を生成して、その出力側に接続されるローパスフィルタと、該ローパスフィルタの出力信号をＬ信号及びＲ信号に各々ミキシングする加算器を具備する回路が知られている（例えば特許文献１参照）。
【非特許文献１】境  久雄・中山  剛、「聴覚と音響心理」、第５版、コロナ社、昭和５９年７月１０日、ｐ１８５−ｐ１９３
【特許文献１】特開２００２−３５４５９５号公報（段落００２７〜段落００３３、図１〜図３）
【発明の開示】
【発明が解決しようとする課題】
【００１０】
しかしながら、サラウンド効果が期待できる聴取者の位置は、前述したように聴取者の耳の位置を決めて、良好な効果を得ることができるように周波数特性や位相量を調整し、計算を行なって決めた一点で確認できるものであり、一般にスイートスポットと言われる場所である。
【００１１】
従来型サラウンド回路を用い、Ｌｃｈ（チャネル）のみ信号を入力した場合の耳の位置での周波数特性を図１１に示す。従来型サラウンド回路の場合、図１１の５ｋＨｚ付近のように、左右のレベル差をつけなければならない１ｋＨｚ以上から１０ｋＨｚの帯域において、左右のレベル差が非常に少なくなる周波数が発生してしまう問題がある。
【００１２】
従来型サラウンド回路を用い、Ｌｃｈのみ信号を入力した場合のアンプ出力の周波数特性を図１３に示す。このような周波数特性の場合、サラウンド効果が最も発揮されるスイートスポットから聴取者が離れた場合、サラウンド回路の周波数特性が１ｋＨｚから１０ｋＨｚの聴感上良く聞こえる帯域において急峻に変化するディップが存在しているため、非常に違和感のある再生音を聴取者は聞くことになるという問題がある。
【００１３】
次に、２つのスピーカを用いてアナウンサーやボーカルのように左右のスピーカの中央に音像が定位する信号を再生するためにはＬｃｈとＲｃｈに同じ信号を同じレベルで入力し、中央に定位する音像を表現する。従来型サラウンド回路においても中央に音像が定位する信号を再生する場合はＬｃｈとＲｃｈに同じ信号を同じレベルで入力することになる。この時の聴取者の耳の位置での周波数特性は図１４に示すようなものとなる。この場合において、左耳と右耳の曲線は同じ特性を示し、図１４のグラフは１本の曲線となる。
【００１４】
このように、ＬｃｈとＲｃｈに同じ信号を入力した場合はＬｃｈとＲｃｈの差信号が現れないため、図９におけるＳ１とＳ１５、Ｓ２とＳ１６は同じ信号成分となり、従来の２本のスピーカを用いたステレオ再生装置で再生した場合と同じ周波数特性になる。図１４において、聴感上良く聞こえる１０ｋＨｚまでの可聴周波数帯の約５．５ｋＨｚ付近に急峻なディップが発生しており、このディップによりアナウンサーの声やボーカル等の明瞭度が低下するという問題がある。
【００１５】
この周波数特性のディップの原因は、例えば左耳の場合、左のスピーカから聴取者の左耳までの距離と右スピーカから聴取者の左耳までの距離に差があることに起因し、聴取者の左耳には同一周波数で位相のずれた音波が合成されるために図１４に示すようなディップが生じる。聴取者の右耳に対しても同様に位相のずれた音波を合成するため同様の現象が発生する。この現象は、従来型サラウンド回路による再生装置と従来のステレオ再生装置に共通した問題である。
【００１６】
本発明はこのような課題に鑑みてなされたものであって、聴取者はスイートスポットにおいて良好なサラウンド感が得られ、スイートスポットから離れた場合でも違和感の少ない再生音が得られ、またアナウンサーやボーカル等のように中央に音像が定位する信号の明瞭度を損なうことの少ない良好な再生音を提供することができるサラウンド再生装置を提供することを目的としている。
【課題を解決するための手段】
【００１７】
（１）請求項１記載の発明は、入力されたＬ信号、Ｒ信号のステレオ信号をそれぞれ、バッファアンプ３及び４に通し、Ｌ信号が入力されたバッファアンプ３の出力をＳ１、Ｒ信号が入力されたバッファアンプ４の出力をＳ２とする時、Ｓ１を正側入力、Ｓ２を負側入力としてＳ１とＳ２の差信号Ｓ３を取り出す差動演算器として機能する加算器５と、その差信号Ｓ３を入力信号とするローパスフィルタ６を備え、該ローパスフィルタ６の出力信号Ｓ４を信号Ｓ１と加算器１１で加算することによりＬ側のサラウンド信号Ｓ９を得、前記信号Ｓ４を利得１で反転する反転器１０に入力し、その得られた信号Ｓ８と前記信号Ｓ２とを加算器１２により加算し、Ｒ側のサラウンド信号Ｓ１０を得、前記信号Ｓ１とＳ２の信号を合成する加算器７と、その合成信号Ｓ５を入力信号とするハイパスフィルタ８と、そのハイパスフィルタ８の出力信号Ｓ６を入力信号とするローパスフィルタ９に通し、センター信号Ｓ７を得ることを特徴とする。
（２）請求項２記載の発明は、前記ローパスフィルタ６の遮断周波数ｆｃ１が３００Ｈｚから８ｋＨｚで−６ｄＢ／ｏｃｔから−１８ｄＢ／ｏｃｔの減衰特性を有することを特徴とする。
（３）請求項３記載の発明は、前記ハイパスフィルタ８の遮断周波数ｆｃ２が３００Ｈｚから５ｋＨｚでかつ−６ｄＢ／ｏｃｔから−２４ｄＢ／ｏｃｔの減衰特性を有し、前記ローパスフィルタ９の遮断周波数ｆｃ３は５ｋＨｚから２５ｋＨｚでかつ−６ｄＢ／ｏｃｔから−２４ｄＢ／ｏｃｔの減衰特性を有することを特徴とする。
【発明の効果】
【００１８】
（１）請求項１記載の発明によれば、聴取者はスイートスポットにおいて良好なサラウンド感が得られ、スイートスポットから離れた場合でも違和感の少ない再生音が得られ、またアナウンサーやボーカル等のように中央に音像が定位する信号の明瞭度を損なうことの少ない良好な再生音を提供することができる。
（２）請求項２記載の発明によれば、良好なサラウンド特性を得ることができる。
（３）請求項３記載の発明によれば、良好なサラウンド特性を得ることができる。
【発明を実施するための最良の形態】
【００１９】
以下、図面を参照して本発明の実施の形態例を詳細に説明する。
図１は本発明の原理回路図である。図において、１はＬチャネル信号源、２はＲチャネル信号源、３はＬチャネル信号を受けるバッファアンプ、４はＲチャネル信号を受けるバッファアンプである。５はＬチャネル信号Ｓ１とＲチャネル信号Ｓ２を入力し、その差信号を取り出す差動演算器としての機能を果たす加算器、６は該加算器５の出力Ｓ３を受けるローパスフィルタ（ＬＰＦ）、７はバッファアンプ３の出力Ｓ１とバッファアンプ４の出力Ｓ２とを加算する加算器、８は該加算器７の出力Ｓ５を受けるハイパスフィルタ（ＨＰＦ）、９は該ハイパスフィルタ８の出力Ｓ６を受けるローパスフィルタである。ハイパスフィルタ８とローパスフィルタ９とで帯域通過フィルタを構成している。
【００２０】
１１はバッファアンプ３の出力Ｓ１とローパスフィルタ６の出力Ｓ４とを加算する加算器、１３は該加算器１１の出力Ｓ９を受けるパワーアンプ、１６は該パワーアンプ１３の出力で駆動されるスピーカである。該スピーカ１６からはＬチャネルの音声が得られる。１４は前記ローパスフィルタ９の出力Ｓ７を受けるパワーアンプ、１７は該パワーアンプ１４の出力で駆動されるスピーカである。該スピーカ１７からはセンターの音声が得られる。
【００２１】
１０は前記ローパスフィルタ６の出力Ｓ４を受けて反転して出力するインバータ、１２は該インバータ１０の出力Ｓ８と、前記バッファアンプ４の出力Ｓ２とを加算する加算器、１５は該加算器１２の出力Ｓ１０を受けるパワーアンプ、１８は該パワーアンプ１５の出力で駆動されるスピーカである。該スピーカ１８からはＲチャネルの音声が得られる。このように構成された回路の動作を説明すれば、以下の通りである。
【００２２】
Ｌチャネルの信号はバッファアンプ３に入ってバッファリングされた後、信号Ｓ１として出力される。一方、Ｒチャネルの信号はバッファアンプ４に入ってバッファリングされた後、信号Ｓ２として出力される。加算器５は、バッファアンプ３の出力Ｓ１とバッファアンプ４の出力Ｓ２の差分をとり、その出力Ｓ３はローパスフィルタ６に入る。
【００２３】
一方、バッファアンプ３の出力Ｓ１とバッファアンプ４の出力Ｓ２とは加算器７で加算される。該加算器７の出力Ｓ５はハイパスフィルタ８に入る。そして、該ハイパスフィルタ８の出力Ｓ６はローパスフィルタ９にはいる。前記バッファアンプ３の出力Ｓ１とローパスフィルタ６の出力Ｓ４は加算器１１で加算される。加算された信号Ｓ９はパワーアンプ１３に入り、Ｌチャネルスピーカ１６を駆動する。
【００２４】
また、前記バッファアンプ４の出力Ｓ２と前記ローパスフィルタ６の出力Ｓ４をインバータ１０で反転した出力Ｓ８とは加算器１２で加算される。加算された信号Ｓ１０はパワーアンプ１５に入り、Ｒチャネルスピーカ１８を駆動する。また、加算器７の出力Ｓ５はハイパスフィルタ８に入り、該ハイパスフィルタ８の出力Ｓ６はローパスフィルタ９に入る。該ローパスフィルタ９の出力Ｓ７はパワーアンプ１４に入り、センタースピーカ１７を駆動する。
【００２５】
このような構成の回路において、ローパスフィルタ６の遮断周波数ｆｃ１が３００Ｈｚから８ｋＨｚで−６ｄＢ／ｏｃｔから−１８ｄＢ／ｏｃｔの減衰特性を有する構成とする。また、ハイパスフィルタ８の遮断周波数ｆｃ２が３００Ｈｚから５ｋＨｚでかつ−６ｄＢ／ｏｃｔから−２４ｄＢ／ｏｃｔの減衰特性を示し、ローパスフィルタ９の遮断周波数ｆｃ３は５ｋＨｚから２５ｋＨｚでかつ−６ｄＢ／ｏｃｔから−２４ｄＢ／ｏｃｔの減衰特性を持つように構成した。
【００２６】
このような特性のフィルタを用いることにより、聴取者はスイートスポットにおいて良好なサラウンド感が得られ、スイートスポットから離れた場合でも違和感の少ない再生音が得られ、またアナウンサーやボーカル等のように中央に音像が定位する信号の明瞭度を損なうことの少ない良好な再生音を提供することができる。
【００２７】
図２は本発明の一実施の形態を示す回路図である。図１と同一のものは、同一の符号を付して示す。以下の説明では、各素子（抵抗とコンデンサ）の値の説明は省略する。Ｌチャネル信号Ｓ１とＲチャネル信号Ｓ２の差信号を取り出す差動演算器５は、入力信号を受ける抵抗Ｒ２０，Ｒ２２と、オペアンプ３０と帰還抵抗Ｒ２３と、分圧抵抗Ｒ２１とから構成されている。この回路によれば、その出力から信号Ｓ１とＳ２の差信号が信号Ｓ３として出力される。
【００２８】
この差信号Ｓ３を受けるローパスフィルタ６は、抵抗Ｒ２４，２５と、コンデンサＣ２０，Ｃ２１と、オペアンプ３１から構成されている。Ｌチャネル信号Ｓ１と、ローパスフィルタ６の出力Ｓ４を受ける加算器１１は、抵抗Ｒ２６〜Ｒ２８とオペアンプ３４から構成されている。該加算器１１の出力Ｓ９はＬチャネル信号Ｓ９としてパワーアンプ１３に入る。
【００２９】
一方、Ｌチャネル信号Ｓ１とＲチャネル信号Ｓ２を加算する加算器７は、抵抗Ｒ４０〜Ｒ４２とオペアンプ３２から構成されている。一方、帰還抵抗Ｒ４２と並列にコンデンサＣ４０が接続されており、この回路はローパスフィルタ９としても機能している。以降、この回路を演算回路２０と呼ぶことにする。
【００３０】
この演算回路２０の出力Ｓ５´を受けるハイパスフィルタ８は、抵抗Ｒ４３，Ｒ４４と、コンデンサＣ４１，Ｃ４２とオペアンプ３３から構成されている。演算回路２０とハイパスフィルタ８からなる帯域通過フィルタの出力信号Ｓ７は、センター信号としてパワーアンプ１４に入っている。ローパスフィルタ６の出力Ｓ４を反転するインバータ１０は抵抗Ｒ２９，Ｒ３０と、オペアンプ３５から構成されている。
【００３１】
該インバータ１０の出力Ｓ８と、Ｒチャネル信号Ｓ２を受ける加算器１２は、抵抗Ｒ３１〜Ｒ３３とオペアンプ３６とから構成されている。加算器１２の出力はＲチャネル信号Ｓ１０としてパワーアンプ１５に入っている。このように構成された回路の動作を説明いすれば、以下の通りである。
【００３２】
本発明の実施の形態は、図３に示すように、従来のステレオ再生の２つのスピーカの中央に１つのスピーカを配置し、そのスピーカでセンター信号を再生することで実現されている。
【００３３】
Ｌ側の信号源１から入力された信号とＲ側の信号源２から入力された信号は、それぞれバッファアンプ３及び４を通り、Ｌ信号が入力されたバッファアンプ３の出力をＳ１，Ｒ信号が入力されたバッファアンプ４の出力をＳ２とする時、Ｓ１を正側入力、Ｓ２を負側入力としてＳ１とＳ２の差信号Ｓ３を取り出す差動演算器５に入力し、差信号Ｓ３を得る。その差信号Ｓ３を入力信号とする２次のローパスフィルタ６に入力し、その出力信号Ｓ４を得る。このローパスフィルタ６の遮断周波数ｆｃ１は次式で与えられる。
【００３４】
ｆｃ１＝１／２π・Ｒ２４・√Ｃ２０・Ｃ２１
＝１．７７ｋＨｚ    但しＲ２４＝Ｒ２５
ここで、抵抗ＲとコンデンサＣの値として識別符号をそのまま用いた（以下同じ）。
【００３５】
ローパスフィルタ６のクオリティファクタＱ１は次式で与えられる。
Ｑ１＝（１／２）・√（Ｃ２１／Ｃ２０）
＝０．５５
ローパスフィルタ６の出力信号Ｓ４とバッファアンプ３の出力信号Ｓ１を加算器１１で加算することによりＬ側のサラウンド信号Ｓ９を得る。また、信号Ｓ４をインバータ１０に入力し、位相を反転させた信号Ｓ８を得る。そして、この信号Ｓ８とバッファアンプ４の出力信号Ｓ２を加算器１２により加算することによりＲ側のサラウンド信号Ｓ１０を得る。これらサラウンド信号Ｓ９，Ｓ１０はそれぞれパワーアンプ１３，１５に入り、Ｌチャネルスピーカ１６とＲチャネルスピーカ１８を駆動する。
【００３６】
一方、バッファアンプ３の出力信号Ｓ１と、バッファアンプ４の出力信号Ｓ２を演算回路２０により加算して出力信号Ｓ５´を得る。この場合において、演算回路２０はコンデンサＣ２０と抵抗Ｒ４２により１次のローパスフィルタを形成し、図１の原理回路図のローパスフィルタ９の機能も併せ持っている。演算回路２０によるローパスフィルタの遮断周波数ｆｃ３は次式で与えられる。
【００３７】
ｆｃ３＝１／（２π・Ｃ４０・Ｒ４２）
＝１３．２６ｋＨｚ
演算回路２０によるローパスフィルタのクオリティファクタは１次のフィルタであるので、１／√２となる。
【００３８】
演算回路２０の出力Ｓ５´をハイパスフィルタ８に入力し、センター信号Ｓ７を得る。ハイパスフィルタ８の遮断周波数ｆｃ２は次式で与えられる。
ｆｃ２＝１／（２π・Ｃ４１・√（Ｒ４３・Ｒ４４））
＝１．２６ｋＨｚ    但しＣ４１＝Ｃ４２
ハイパスフィルタ８のクオリティファクタＱ２は以下のようになる。
【００３９】
Ｑ２＝（１／２）・√（Ｒ４３／Ｒ４４）
＝０．２３
図４〜図６は図２の実施の形態の回路のＬチャネルに信号を入力し、Ｒチャネルには信号を入力しない場合の周波数特性を示す図である。Ｌチャネル、Ｒチャネルのスピーカ間隔は２０ｃｍとし、両スピーカの真ん中に図３の右側の図のようにセンタースピーカを配置する。スピーカから聴取者までの距離を５０ｃｍ、両耳間の距離を１６ｃｍとし、音源は理想的な点音源として計算した。
【００４０】
図４は実施の形態におけるＬチャネル入力時の耳の位置での周波数特性を示す図である。縦軸はゲイン（ｄＢ）、横軸は周波数（Ｈｚ）である。ｆ７はＲチャネルの特性を、ｆ８はＬチャネルの特性をそれぞれ示している。図５は実施の形態におけるＬチャネル入力時のサラウンド回路周波数特性を示す図である。縦軸は音圧（ｄＢ）、横軸は周波数（Ｈｚ）である。ｆ９はＬチャネルの特性を、ｆ１０はＲチャネルの特性を、ｆ１１はセンターの特性をそれぞれ示している。
【００４１】
図５において、Ｌチャネルの曲線ｆ９は図２におけるＳ９に相当し、Ｒチャネルの曲線ｆ１０は図２におけるＳ１０に相当し、センターの曲線ｆ１１は図２におけるＳ７にそれぞれ相当している。図６は実施の形態におけるＬチャネル入力時の左右の耳の位置での位相差を示す図である。縦軸は位相（ｄｅｇ）を、横軸は周波数（Ｈｚ）をそれぞれ示している。ｆ１２は実施の形態におけるサラウンド回路を使用した場合の左右の耳の位置での位相差である。ｆ１３はサラウンド回路を使用しない場合の位相差を示す。
【００４２】
図７、図８はＬチャネル、Ｒチャネルに同じ信号を入力した時の周波数特性を示す図である。図７は実施の形態におけるＬ、Ｒチャネルに同じ信号を入力した時の聴取者の耳の位置での周波数特性を示したもので、左耳と右耳は同じ特性を示し、１本の曲線となる。図８は実施の形態におけるＬチャネル、Ｒチャネルに同じ信号を入力した時のサラウンド回路の周波数特性を示すものであり、ｆ１４はＬチャネル，Ｒチャネル特性を、ｆ１５はセンター特性を示す。Ｌチャネルは図２のＳ９、ＲチャネルはＳ１０、センターはＳ７にそれぞれ相当している。
【００４３】
本実施の形態において、本発明のサラウンド信号は図１３のＬチャネルの曲線に対する５ｋＨｚ付近の急峻なディップが緩やかになっていることが図５のＬチャネルの曲線により確認できる。
【００４４】
本実施の形態により、本発明のサラウンド信号は図１４の５．５ｋＨｚ付近の急峻なディップが図７のように穏やかな起伏に改善されていることが確認できる。
本実施の形態によるサラウンド効果について、１ｋＨｚまでの位相差は図６に示すように、図１２に示す従来型サラウンド回路と同じような効果が得られることが確認できた。また、１ｋＨｚから１０ｋＨｚまでの左右の耳の位置での音圧の周波数特性は、図４に示すように十分に左右の音圧差が得られ、図１１の５ｋＨｚ付近で生じた音圧差が得られなくなる現象が改善されることが確認できた。
【００４５】
本発明により、サラウンド回路で周波数特性に急峻なディップが発生しないため、聴取者がスイートスポットから離れた場合でも良好な再生音を聴取者に提供することができる。また、中央に音像が定位することが多いボーカル等の音声が聴取者の耳に到達する際に発生する高域のディップが少なくなるため、明瞭な再生音を聴取者に提供することができる。
【００４６】
実際に予め録音してあるステレオ信号を本発明装置に入力したところ、スピーカの間隔が２０ｃｍしか離れていないにも関わらず極めて良好なサラウンド効果が確認できた。また、サラウンド回路をオフにした時とオンにした時とで聴き比べたところ、サラウンド回路をオンにした時には、スピーカの間隔が２０ｃｍ程度しか離れていないにも関わらず、極めて良好なサラウンド効果があることを確認することができた。またアナウンサーやボーカル等のように中央に音像が定位する信号の明瞭度を損なうことの少ない良好な再生音を確認することができた。
【図面の簡単な説明】
【００４７】
【図１】本発明の原理回路図である。
【図２】本発明の一実施の形態を示す回路図である。
【図３】スピーカ配置を示す図である。
【図４】実施の形態におけるＬチャネル入力時の耳の位置での周波数特性を示す図である。
【図５】実施の形態におけるＬチャネル入力時のサラウンド回路周波数特性を示す図である。
【図６】実施の形態におけるＬチャネル入力時の左右の耳の位置での位相差を示す図である。
【図７】実施の形態におけるＬ，Ｒチャネルに同じ信号を入力した時の耳の位置での周波数特性を示す図である。
【図８】実施の形態におけるＬ，Ｒチャネルに同じ信号を入力した時のサラウンド回路周波数特性を示す図である。
【図９】従来のサラウンド回路の構成例を示す図である。
【図１０】移相回路の構成例を示す図である。
【図１１】耳の位置での周波数特性を示す図である。
【図１２】左右の耳の位置での位相差を示す図である。
【図１３】従来型サラウンド回路の周波数特性を示す図である。
【図１４】従来型サラウンド回路にＬ，Ｒ同じ信号を入力した時の耳の位置での周波数特性を示す図である。
【符号の説明】
【００４８】
１    Ｌチャネル側信号源
２    Ｒチャネル側信号源
３    バッファアンプ
４    バッファアンプ
５    差動演算器
６    ローパスフィルタ（ＬＰＦ）
７    加算器
８    ハイパスフィルタ（ＨＰＦ）
９    ローパスフィルタ（ＬＰＦ）
１０  反転器（インバータ）
１１  加算器
１２  加算器
１３  パワーアンプ
１４  パワーアンプ
１５  パワーアンプ
１６  スピーカ
１７  スピーカ
１８  スピーカ
【図１】
2008172576.tif 000003
【図２】
2008172576.tif 000004
【図３】
2008172576.tif 000005
【図４】
2008172576.tif 000006
【図５】
2008172576.tif 000007
【図６】
2008172576.tif 000008
【図７】
2008172576.tif 000009
【図８】
2008172576.tif 000010
【図９】
2008172576.tif 000011
【図１０】
2008172576.tif 000012
【図１１】
2008172576.tif 000013
【図１２】
2008172576.tif 000014
【図１３】
2008172576.tif 000015
【図１４】
2008172576.tif 000016